(57)【要約】【課題】衛生的に好ましいという実用性を具えるとともに、音発生機能によってユーモアや癒しを与えるティッシュペーパー収納箱を提供する。【解決手段】ティッシュペーパー１０１を収容するティッシュペーパー収納箱１において、ティッシュペーパー１０１をティッシュペーパー収納箱１から取り出す動作によってスイッチがオンするスイッチ手段１１と、該スイッチ手段１１のスイッチがオンされるとティッシュペーパー収納箱１外部へ向け音を発生する音発生手段３１とを具えている。【選択図】図２
0003111472.tif 000002
【実用新案登録請求の範囲】
【請求項１】
ティッシュペーパーを収容するティッシュペーパー収納箱において、
前記ティッシュペーパーを前記ティッシュペーパー収納箱から取り出す動作によってスイッチがオンするスイッチ手段と、
該スイッチ手段のスイッチがオンされると前記ティッシュペーパー収納箱外部へ向け音を発生する音発生手段
とを具えていることを特徴とするティッシュペーパー収納箱。
【請求項２】
前記ティッシュペーパーを引出す引出し口を具え、
前記スイッチ手段は、
前記引出し口から引出されるティッシュペーパーにより、前記スイッチがオンするようにしたことを特徴とする請求項（１）記載のティッシュペーパー収納箱。
【請求項３】
前記引出し口から引出される前記ティッシュペーパーには、その両端部にしわが形成され、該しわにかかる力により、前記スイッチがオンするようにしたことを特徴とする請求項（２）記載のティッシュペーパー収納箱。
【請求項４】
手動により前記スイッチ手段のスイッチをオフするオフ手段を具え、
前記スイッチがオフすると、前記音発生手段は前記音の発生を停止することを特徴とする請求項（２）記載のティッシュペーパー収納箱。
【請求項５】
前記スイッチ手段は、
前記ティッシュペーパー収納箱内に配設され、かつ前記引出し口近傍に配設される作動片と、
該作動片を、前記ティッシュペーパー収納箱の内側へ向け常時付勢する付勢手段
とを具え、
前記作動片は、前記引出し口から引出されるティッシュペーパーによって前記付勢手段の付勢力に抗して押圧され、
前記スイッチ手段は、該押圧によりスイッチをオンするようにしたことを特徴とする請求項（２）に記載のティッシュペーパー収納箱。
【請求項６】
前記ティッシュペーパー収納箱の内壁面に固定され、かつ前記作動片と間隔を隔てて配設される固定片を具え、
前記付勢手段は、前記固定片と前記作動片との間に介在されていることを特徴とする請求項（５）記載のティッシュペーパー収納箱。
【請求項７】
手動により前記スイッチ手段のスイッチをオフするオフ手段を具え、
該オフ手段は、
前記作動片に配設された支承軸と、
該支承軸に配設され、前記引出し口から露出する押圧ボタンと、
前記支承軸の外周面に配設された凸部と、
前記固定片に配設された軸受け部であって、前記支承軸を嵌挿する軸部と前記凸部に嵌合する凹部とを具えた軸受け部
とを具え、
前記引出し口から前記ティッシュペーパーが引出されると、該ティッシュペーパーにより、前記作動片は前記付勢手段の付勢力に抗して押圧されて前記スイッチ手段のスイッチがオンするとともに前記凸部が前記凹部から脱出して前記軸部に係合し、
前記押圧ボタンを押圧すると、前記付勢手段の付勢力によって、前記凸部と前記軸部との係合が解除されて前記凸部は前記凹部に嵌合するとともに、前記作動片の押圧が解除されて前記スイッチ手段のスイッチがオフし、これにより前記音発生手段は前記音の発生を停止するようにしたことを特徴とする請求項（６）記載のティッシュペーパー収納箱。
【請求項８】
前記スイッチ手段は、前記ティッシュペーパーを引出す引出し口と、該引出し口を覆う蓋体とを具え、前記スイッチ手段は、前記引出し口を開放させる前記蓋体の拡開動作によってスイッチがオンするようにしたことを特徴とする請求項（１）に記載のティッシュペーパー収納箱。
【請求項９】
前記スイッチ手段は、
前記ティッシュペーパーを収容するとともに前記引出し口が形成された本体と、
前記蓋体を前記本体に対し回動自在に支承する軸と、
前記蓋体に一端が固定され、他端が前記本体の内壁面に当接するアームとを具え、
前記蓋体を前記軸を中心に回動して前記引出し口を開放すると、前記アームの他端が前記本体の内壁面から離間して前記スイッチ手段のスイッチがオンし、
前記蓋体を前記軸を中心に回動して前記引出し口を閉塞すると、前記アームの他端が前記本体の内壁面に当接して前記スイッチ手段のスイッチがオフし、これにより前記音発生手段は前記音の発生を停止するようにしたことを特徴とする請求項（８）記載のティッシュペーパー収納箱。
【考案の詳細な説明】
【技術分野】
【０００１】
本考案は、ティッシュペーパー収納箱に関する。
【背景技術】
【０００２】
従来から、ティッシュペーパーを収納する収納箱（以下、「ティッシュペーパー収納箱」という。）は存在する。  
この従来のティッシュペーパー収納箱には、ティッシュペーパーを引出す引出し口が形成されている。この引出し口からは、ティッシュペーパー収納箱内部に収容したティッシュペーパーの一部が露出しており、ティッシュペーパー収納箱を利用する者（以下、単に「利用者」という。）が、引出し口から、上記露出するティッシュペーパーを引出すと、そのティッシュペーパーを取り出すことができる。
【０００３】
この従来のティッシュペーパー収納箱は、それ自体が、収容したティッシュペーパーを覆うので、該ティッシュペーパーは衛生面で清潔に保たれる。
【考案の開示】
【考案が解決しようとする課題】
【０００４】
ところで、従来のティッシュペーパー収納箱は、収容したティッシュペーパーを衛生面で清潔に保つことができるという実用性があるものの、利用者が思わず笑いたくなるようなユーモアや、希望や夢あるいは感動に与える癒しを提供するものではなかった。
【０００５】
上述した事情に鑑み、本考案は、衛生的に好ましいという実用性を具えるとともに、音発生機能によってユーモアや癒しを与えるティッシュペーパー収納箱を提供することを目的とする。
【課題を解決するための手段】
【０００６】
上述した課題を解決するため、本考案のティッシュペーパー収納箱は、ティッシュペーパーを収容するティッシュペーパー収納箱において、前記ティッシュペーパーを前記ティッシュペーパー収納箱から取り出す動作によってスイッチがオンするスイッチ手段と、該スイッチ手段のスイッチがオンされると前記ティッシュペーパー収納箱外部へ向け音を発生する音発生手段とを具えている。
【考案の効果】
【０００７】
本考案のティッシュペーパー収納箱は、ティッシュペーパーをティッシュペーパー収納箱から取り出す動作によってスイッチがオンするスイッチ手段と、該スイッチ手段のスイッチがオンされるとティッシュペーパー収納箱外部へ向け音を発生する音発生手段とを具えているから、ティッシュペーパーを衛生面で清潔に保つことができるという実用性を具えるとともに、音発生機能（おしゃべり機能）によって、利用者が思わず笑いたくなるようなユーモアや、希望や夢あるいは感動に与える癒しを提供することができる。
【考案を実施するための最良の形態】
【０００８】
本考案のティッシュペーパー収納箱について、以下の実施例で詳述する。
【実施例１】
【０００９】
図１は、第一実施例のティッシュペーパー収納箱の概念斜視図である。  
図１で示す第一実施例のティッシュペーパー収納箱１は、内部にティッシュペーパー１０１を直接収容している。また、このティッシュペーパー収納箱１は、ティッシュペーパー１０１を引出す引出し口３を具えている。
【００１０】
この引出し口３からは、収容したティッシュペーパー１０１の一部が露出している。
【００１１】
図２は、図１のティッシュペーパー収納箱の拡大概念断面図である。また図３は、図１のティッシュペーパー収納箱の要部拡大概念破断面図である。  
なお、前記図1乃至図３では、ティッシュペーパー１０１が引出し口３から引出された後、初期状態に復帰した場合の様子を示している。
【００１２】
図２及び図３で示すように、ティッシュペーパー収納箱１は、ティッシュペーパー１０１をティッシュペーパー収納箱１から取り出す動作によってスイッチがオンするスイッチ手段１１と、該スイッチ手段１１のスイッチがオンされるとティッシュペーパー収納箱１の外部へ向け音を発生する音発生手段３１とを具えている。
【００１３】
このうち、スイッチ手段１１は、引出し口３から引出されるティッシュペーパー１０１により、スイッチがオンするものである。
【００１４】
このスイッチ手段１１は、ティッシュペーパー収納箱１に配設された作動片１２と、ティッシュペーパー収納箱１の内側へ向け常時付勢する付勢手段１５とを具えている。  
また、このうちの作動片１２は、引出し口３近傍に配設されている。
【００１５】
また、作動片１２は、固定片１３と間隔を隔てて配設されており、該固定片１３は、ティッシュペーパー収納箱１の内壁面１ａに固定されている。  
また、付勢手段１５は、固定片１３と作動片１２との間に介在されている。この付勢手段１５は、固定片１３と作動片１２とに両端が固定されている。なお、この付勢手段１５はコイルスプリングからなる。
【００１６】
また、ティッシュペーパー収納箱１は、手動によりスイッチをオフするオフ手段２１をさらに具えている。
【００１７】
このオフ手段２１は、作動片１２に配設された支承軸２２と、該支承軸２２に配設され、引出し口３から露出する押圧ボタン２３と、前記支承軸２２の外周面に配設された凸部２２ａと、固定片１３に配設された軸受け部２４とを具えている。  
このうち、軸受け部２４は、凸部に嵌合する凹部２４ａと、支承軸２２を嵌挿する軸部２４ｂとを具えている。  
また、図１で示すように、音発生手段３１は、音声マイクロチップ３２と、該マイクロチップ３２にケーブル（符号なし）を介して電気的接続される拡声器３３とから構成されている。  
このうち、音声マイクロチップ３２は、一定の音が記録された音声チップと電池を具えて構成されている。また、この音声マイクロチップ３２には、スイッチ手段１１の作動片１２と固定片１３とがそれぞれケーブル（符号なし）を介し電気的接続されている。
【００１８】
また、拡声器３３は、ティッシュペーパー収納箱１の内壁面１ａに固定されている。  
なお、図１では図示を省略しているが、拡声器３３が配設された位置のティッシュペーパー収納箱１の壁面には、音を通すための孔が形成されている。
【００１９】
このようなティッシュペーパー収納箱１では、図３で示す初期状態では、ティッシュペーパー収納箱１は、それ自体が、収容したティッシュペーパー１０１を覆うので、該ティッシュペーパー１０１は、衛生的に清潔な状態に維持される。
【００２０】
また、図３で示す初期状態では、作動片１２は付勢手段１５（図２）の付勢力によって、ティッシュペーパー収納箱１の内側へ向け常時付勢されている。また、初期状態において、作動片１２は押圧されておらず、そのため図示せぬセンサによってスイッチ手段１１のスイッチはオフしている。またこのスイッチのオフにより音発生手段３１は音を発生していない。また、凸部２２ａは凹部２４ａに嵌合している。
【００２１】
次に、ティッシュペーパー１０１をティッシュペーパー収納箱１から取り出す動作について説明する。  
図４は、図１のティッシュペーパー収納箱１の要部拡大概念破断面図であって。特に発音状態の様子を示す図である。  
図４の矢印Ａで示すように、ティッシュペーパー１０１をティッシュペーパー収納箱１から取り出すには、ティッシュペーパー１０１を引出し口３から引出す。
【００２２】
すると、引出されるティッシュペーパー１０１が付勢手段１５の付勢力に抗し作動片１２を押圧する。  
また、スイッチ手段１１は、作動片１２の押圧を前記センサにより検知してスイッチをオンする。また、スイッチ手段１１がスイッチをオンすると、音発生手段３１の音声マイクロチップ３２の動作により拡声器３３から音が発生する。  
また、音声マイクロチップ３２の音声チップに記録された上記一定の音とは、利用者が思わず笑いたくなるようなユーモアや、希望や夢あるいは感動に与える癒しユーモア又は癒し与える言葉を録音したものである。
【００２３】
具体的に、この音は、特定の種類の人に対するメッセージ、例えば、受験生へのメッセージ、恋人へのメッセージ、妻又は夫へのメッセージ、おじいさん・おばあさんへのメッセージ、熟年の人へのメッセージ、病人の人へのメッセージ、おとうさんへのメッセージ、おかあさんへのメッセージ、お嫁さんへのメッセージ、お舅さんへのメッセージ、自分へのメッセージ、子供へのメッセージまたは外国人向け等のメッセージや、秘密の会話、笑える話、お金が貯まるお話、運の向くお話等を録音したものである。
【００２４】
さらに具体的には、受験生へのメッセージとして、例えば、「今、つらくても必ず明るい春は来ますよ。」、「信じて、受かるって、信じるのよ合格するって。」、「あせらないで、たまにはフーッと一息抜いてね。」、「恋愛もお預けだけど、今を楽しんでね。」、「もう少し、もう少しだね。もう一歩、踏みだして。」、「追い込んでいるね。でも、あんまり無理しちゃだめだよ。」、「アラ・アラ、又ラジオつけっぱなしかー、ジージーしているよ。」、又は「積み重ねが大事だよ。１つ１つクリアーして行こうね。」が挙げられる。
【００２５】
また、恋人へのメッセージとしては、例えば、「あの海にもう一度連れて行ってね、お願い。」、「チョットでも時間、出来たら電話チョウダイ。」、「今度いつ逢えるの？毎日、逢いたいよ。」、「昨日の事、いつまでも覚えておいてね。」、「もう大好き、貴方、この気持ち分かって。」、「昨日逢ったばかりだけれど、もう逢いたいよ。」、「明日、手料理つくるから、一緒に食べようよ。」、又は「大嫌い、貴方の事なんか、でも大好きよ、変に成るくらい。」が挙げられる。
【００２６】
また、妻又は夫へのメッセージとしては、例えば、「たまには気の利いた嘘、言って下さいよ。」、「何もかも一精懸命はいいけど、あんまり無理しないでね。」、「ねー、今度いつ休み？一緒に出かけたいね。」、「ふざけんなよ！おたんこなす。そんな事を言えるのはお前だけ。」、「冬のソナタもいいけれど、私のそばもいいでしょう。」、「いいじゃん浮気の２つ位、１つはダメだけど。」、「今夜いかがーなんてストレートに言えたら楽しいのにね。」、又は「いつもありがとう、サラッと言ってあげたいけれど、言えなくてゴメンね。」等が挙げられる。
【００２７】
また、おじいさん・おばあさんへのメッセージとしては、例えば、「おじいチャン・おばあチャン、いつ見ても仲良くて若々しいね。」、「しばらく逢えてないけれど、具合どう？今度、みんなで行くからね。」、「チビちゃん、逢いたがっているよ。」、「おばあチャン、おじいチャンの電話ならいつでもＯＫよ。」、「もっと長生きしてよ、いい事、必ず起きるからね。」、「オレ、ちゃんと言うから、オレオレに騙されんなよ。」、「一杯頑張ったんだから、チョット休みな、一息一息。」、又は「じいチャン・ばあチャン頑張れ、必ず逢いに行くからね。」が挙げられる。
【００２８】
また、熟年の人へのメッセージとしては、例えば、「貴方ががんばらなきゃ誰が頑張る。ガンガンいけよ。」、「疲れたら、たまには立ち止まりな、いいと思うよ。」、「もっと気楽に気楽に。いいじゃないか、いつも真面目だから。」、「ストレス溜まってない？パーッと外に出ようよ。」、「役に立っているよ！あんたも、自信持ちなさい。」、「あとは若い者に任してみな、意外とやるもんだよ。」、「たまには運動しろよ、下腹出てきてるぞ。」、又は「イライラのタバコは、やめろよ。うまいタバコ吸えよ。」が挙げられる。
【００２９】
また、病人の人へのメッセージとしては、例えば、「リハビリ一緒に頑張ろうね。良く成るから。」、「あせっちゃダメだよ。日柄ものだから、徐々にね。」、「何でも言ってね。こうゆう時だから、甘えていいよ。」、「いいじゃん。長い人生、一時休息の足止めても。」、「家の事は心配しないで、早く治して。皆待ってるよ。」、「病は気からだよ。元気な顔、早く見せてね。心配してるんだから。」、「良い休養だと思って、ゆっくり治してね。元気な顔見たいから。」、又は「入院なんてもうたくさん！と思えば、必ず退院出来るよ。」が挙げられる。
【００３０】
また、上記記録される音は、詩心メッセージでもよい。詩心メッセージとしては、例えば、「優しい言葉より、もっと愛してほしい。」、「我が想い、どこまでいけば届くかな。」、「秋風にゆらりゆらりと揺れる我が心。」、「寒々と夜空を彩る流星群。」、「春の風に乗せて届けたい心のときめき。」、「水の瀬にササ船乗せて、一息かける。」、「陽の光に、波の音に、望愁かけめぐる。」又は「燃ゆる想い、松明の様に赤々と。」等が挙げられる。
【００３１】
このように音声マイクロチップ３２の音声チップに記録された上記いずれかの音が、拡声器３３によってティッシュペーパー収納箱１の外部に向け発生される。  
そのため、ティッシュペーパー収納箱１の利用者は、この発生した音を聴取し、これにより、該利用者が思わず笑いたくなるようなユーモアや、希望や夢あるいは感動に与える癒しが提供される。
【００３２】
なお、上述したように作動片１２の押圧によってスイッチがオンされるのは、引出し口３から引出されるティッシュペーパー１０１には、その幅方向両端部にしわが形成され、該しわの部分が、それに対向する作動片１２を押圧するからである。すなわち、ティッシュペーパー１０１の引出しによる該しわにかかる力を利用して、スイッチがオンされる。
【００３３】
また、引出し口３からティッシュペーパー１０１が引出されると、図４で示すように、作動片１２は該ティッシュペーパー１０１により付勢手段１５の付勢力に抗して押圧されるので、これにより支承軸２２は作動片１２とともに引出し口３側へ移動する。またこの支承軸２２の移動に伴い、凸部２２ａが軸受け部２４の凹部２４ａから脱出して軸部２４ｂに係合する。この係合により、作動片１２及び支承軸２２の各移動は停止するので、前記センサによって、スイッチ手段１１のスイッチはオン状態に維持される。
【００３４】
また、上記した音は、スイッチがオンしてから一定時間、たとえば、３秒〜５秒間継続して発生され、該一定時間を経過すると、音発生手段３１は音の発声を停止する。
【００３５】
また、この音の発生をその途中で停止させるには、オフ手段２１の押圧ボタン２３を押圧する。
【００３６】
すると、付勢手段１５の付勢力によって、凸部２２ａと軸部２４ｂとの係合が解除され、凸部２２ａは凹部２４ａに嵌合するとともに、作動片１２の上記押圧が解除され、これによりスイッチ手段２１のスイッチ２３がオフする。
【００３７】
また、スイッチ手段２１のスイッチがオフすると、音発生手段３１は音の発生を停止する。  
なお、スイッチ手段１１のスイッチがオンしてから一定時間経過して音の発生が停止された場合、押圧ボタン２３を押圧すると、付勢手段１５の付勢力によって、凸部２２ａと軸部２４ｂとの係合が解除され凸部２２ａは凹部２４ａに嵌合するとともに、作動片１２の上記押圧が解除され、これにより初期状態に復帰する。
【００３８】
以上で説明したように、この考案の第一実施例のティッシュペーパー収納箱１は、ティッシュペーパー１０１をティッシュペーパー収納箱１から取り出す動作によってスイッチがオンするスイッチ手段１１と、該スイッチ手段１１のスイッチがオンされるとティッシュペーパー収納箱１外部へ向け音を発生する音発生手段３１とを具えているから、収容したティッシュペーパー１０１を衛生面で清潔に保つことができるという実用性を具えるとともに、音発生機能（おしゃべり機能）によって、利用者が思わず笑いたくなるようなユーモアや、希望や夢あるいは感動に与える癒しを提供することができる。
【００３９】
また、このティッシュペーパー収納箱１は、手動によりスイッチ手段１１のスイッチをオフするオフ手段２１を具えているから、発生した音を任意に停止させることができる。
【実施例２】
【００４０】
次に第二の実施例のティッシュペーパー収納箱４１について説明する。  
図５は、第二実施例のティッシュペーパー収納箱の概念斜視図であって、特に初期状態の様子を示す図である。また、図６は、図５のティッシュペーパー収納箱の要部概念断面図である。なお、図５乃至後述する図８では、図１乃至図４と同一部分を同一符号で示している。
【００４１】
この第二実施例のティッシュペーパー収納箱４１は、その内部に、図示せぬ市販のティッシュペーパー収納箱（以下、「ティッシュボックス」という。）を収容するものである。  
前記ティッシュボックスは、内部にティッシュペーパー１０１を収容している。
【００４２】
図５及び図６で示すように、ティッシュペーパー収納箱４１は、その内部に、前記ティッシュボックスを介し収容したティッシュペーパー１０１（図示しない）を、該ティッシュペーパー収納箱４１から取り出す動作によってスイッチがオンするスイッチ手段５１と、該スイッチ手段５１のスイッチがオンされるとティッシュペーパー収納箱４１外部へ向け音を発生する音発生手段７１とを具えている。  
このスイッチ手段５１は、ティッシュペーパー１０１を引出す引出し口３と、該引出し口３を覆う蓋体５２とを具えている。  
このスイッチ手段５１は、引出し口３を開放させる蓋体５２の拡開動作によってスイッチがオンされるものである。
【００４３】
また、引出し口３は、ティッシュペーパー１０１を収容する本体４２に形成されている。  
なお、前記ティッシュボックスには図示せぬティッシュ引出し口が形成されており、該ティッシュ引出し口は引出し口３に対向するように配置されている。
【００４４】
また蓋体５２は、本体４２に対し軸５３を介して回動自在に支承されている。
【００４５】
また、蓋体５２を支承する軸５３は、本体４２に差し渡されている。  
また、蓋体５２には、アーム５４の一端が固定されている。また、この固定は板５５を介して行われている。
【００４６】
また、このアーム５４の他端は、本体４２の内壁面４２ａに固定されずに、該内壁面４２ａに当接している。またこの当接は板５６を介して行われている。
【００４７】
また、蓋体５２には、取っ手６０が配設されている。
【００４８】
また、音発生手段７１は、第一実施例のティッシュペーパー収納箱１の音発生手段３１と同様に、図示せぬ音声マイクロチップ３２（図１参照）と、該マイクロチップ３２にケーブルを介し電気的接続される拡声器３３（図１参照）を具えて構成されている。  
この音発生手段７１は、図５に示すように、箱体４２の側方に配設されており、拡声器３３（図１参照）と対応する位置の箱体４２には、音を通すための孔７４が形成されている。  
なお、音声マイクロチップ３２には、第一の実施例のティッシュペーパー収納箱１のものと同様に、一定の音が記録された録音チップと電池を具えて構成されている。また、音声マイクロチップ３２には、スイッチ手段５１の図示せぬセンサに電気的接続されている。前記センサは、アーム５４の他端が板５６を介し当接しているか否かを検知するセンサである。    
また、音声マイクロチップ３２には、第一実施例のものと同様に、拡声器３３が電気的接続されている。またこの音声マイクロチップ３２は、本体４２の内壁面４２ａに固定されている。
【００４９】
このような構造のティッシュペーパー収納箱４１では、図５及び図６に示す初期状態では、ティッシュペーパー収納箱４１の本体４２はティッシュペーパー１０１を覆うので、該ティッシュペーパー１０１は、衛生的に好ましく維持される。  
また、図５及び図６で示すように、このティッシュペーパー収納箱４１では、引出し口３を蓋体４によって覆う。したがって、この蓋体４により、ティッシュペーパー１０１は、衛生的に一層好ましく維持される。
【００５０】
また、図６で示すように初期状態では、アーム５４の他端は板５６を介して本体４２の内壁面４２ａに当接しており、そのため、前記センサによりによりスイッチ手段５１のスイッチがオフしている。またこのスイッチのオフにより音発生手段７１は音を発生していない。
【００５１】
次に、ティッシュペーパー１０１をティッシュペーパー収納箱４１から取り出す動作について説明する。
【００５２】
図７は、第二実施例のティッシュペーパー収納箱の要部概念断面図であって、特に発音状態の様子を示す図である。また図８は、第二実施例のティッシュペーパー収納箱３１の概念斜視図であって、特に発音状態の様子を示す図である。
【００５３】
図７及び図８で示すように、ティッシュペーパー１０１をティッシュペーパー収納箱４１から取り出すには、まず蓋体５２を拡開し、これにより引出し口３を開放させる。
【００５４】
具体的には、取っ手６０を介して蓋体５２を軸５３を中心に回動して引出し口３を開放する。  
すると、図７で示すように、板５６を介して本体４２の内壁面４２ａに当接していたアーム５４の他端が内壁面４２ａから離間し、これによりスイッチ手段５１の上記センサを介しスイッチ手段５１のスイッチがオンする。
【００５５】
また、スイッチ手段５１がスイッチをオンすると、音発生手段７１の音声マイクロチップの動作により拡声器３３から音が発生する。    
この発生する音は、音声マイクロチップ３２の音声チップに予め記録されてある音であって、上記した第一実施例のティッシュペーパー収納箱４１において発生される音と同様に、利用者が思わず笑いたくなるようなユーモアや、希望や夢あるいは感動に与える癒しユーモア又は癒し与える言葉を録音したものである。  
またこの音は、音発生手段７１の拡声器３３によってティッシュペーパー収納箱４１の外部に向け発生される。  
そのため、ティッシュペーパー収納箱３１を利用する利用者は、該音声を聴取し、これにより、利用者が思わず笑いたくなるようなユーモアや、希望や夢あるいは感動に与える癒しが提供される。  
なお、符号４２ｂは、本体４２に形成され、かつ初期状態において板５５を位置決め載置する位置決め凹部である。また符合４２ｃは、位置決め凹部４２ｂ内に形成された孔であって、アーム５４を蓋体５２とともに軸５３を中心に回転させるための孔である。
【００５６】
また、蓋体５２が拡開され引出し口３が開放されている状態では、上記した音の発生はスイッチがオンしてから一定時間、たとえば、３秒〜５秒間継続して行われ、該一定時間を経過すると、音発生手段７１は音の発生を停止する。
【００５７】
また蓋体５２が拡開され、引出し口３が開放されている状態では、引出し口３からティッシュペーパー１０１を引き出し、該引出し口３から取り出すことができる。
【００５８】
また、前記音の発生をその途中で停止させるには、図５及び図６で示すように引出し口３を蓋体５２で覆って閉塞する。具体的には、取っ手６０を介し、蓋体５２を軸５３を介して回動させて上記閉塞を行う。
【００５９】
すると、図６で示すようにアーム５４の他端が板５６を介して本体４２の内壁面４２ａに当接するので、これにより、前記センサを介してスイッチ手段５１のスイッチがオフする。  
また、スイッチ手段５１のスイッチがオフすると、音発生手段７１は音の発生を停止させる。  
なお、スイッチ手段５１のスイッチがオンしてから一定時間経過して音の発生が停止された場合、引出し口３を蓋体５２で覆って閉塞すると、ティッシュペーパー収納箱４１は初期状態に復帰する。
【００６０】
以上で説明したように、この考案の第二のティッシュペーパー収納箱４１は、ティッシュペーパー１０１をティッシュペーパー収納箱４１から取り出す動作によってスイッチがオンするスイッチ手段５１と、該スイッチ手段５１のスイッチがオンされるとティッシュペーパー収納箱４１外部へ向け音を発生する音発生手段７１とを具えているから、ティッシュペーパー１０１を衛生面で清潔に保つことができるという実用性を具えるとともに、音発生機能（おしゃべり機能）によって、利用者が思わず笑いたくなるようなユーモアや、希望や夢あるいは感動に与える癒しを提供することができる。  
また、このティッシュペーパー収納箱４１は、蓋体５２によって引出し口３を覆って該引出し口３を閉塞すれば、スイッチ手段５１のスイッチをオフでき、これにより発生した音を任意に停止させることができる。
【図面の簡単な説明】
【００６１】
【図１】図１は、第一実施例のティッシュペーパー収納箱の概念斜視図である。
【図２】図２は、図１のティッシュペーパー収容箱の拡大概念断面図である。
【図３】図３は、図１のティッシュペーパー収納箱の要部拡大概念破断面図である。
【図４】図４は、図１のティッシュペーパー収納箱の要部拡大概念破断面図であって。特に発音状態の様子を示す図である。
【図５】図５は、第二実施例のティッシュペーパー収納箱の概念斜視図であって、特に初期状態の様子を示す図である。
【図６】図６は、図５のティッシュペーパー収納箱の要部概念断面図である。
【図７】図７は、第二実施例のティッシュペーパー収納箱の要部概念断面図であって、特に発音状態の様子を示す図である。
【図８】図８は、第二実施例のティッシュペーパー収納箱の概念斜視図であって、特に発音状態の様子を示す図である。
【符号の説明】
【００６２】
１、４１…ティッシュペーパー収納箱
１ａ、４２ａ…内壁面
３…引出し口
１１、５１…スイッチ手段
１２…作動片
１３…固定片
１５…付勢手段
２１…オフ手段
２２…支承軸
２２ａ…凸部
２３…押圧ボタン
２４…軸受け部
２４ａ…凹部
２４ｂ…軸部
３１、７１…音発生手段
４２…本体
５２…蓋体
５３…軸
５４…アーム
１０１…ティッシュペーパー
【図１】
0003111472.tif 000003
【図２】
0003111472.tif 000004
【図３】
0003111472.tif 000005
【図４】
0003111472.tif 000006
【図５】
0003111472.tif 000007
【図６】
0003111472.tif 000008
【図７】
0003111472.tif 000009
【図８】
0003111472.tif 000010